(57)【要約】  【課題】  箱の胴体に合わせ片が追加取り付けされた包装箱の当該合わせ片の開閉に際して、密着固定を確実に行い、且つ開放動作時の抵抗を少なくして損傷を回避し得る包装箱を提供すること。  【解決手段】  ボックス構造の胴体部と、胴体部の上下両端部に開閉可能に設けられた蓋部材とを有する包装箱において、胴体部の一側面には、当該一側面に外側から重なるように合わせ片が設けられ、この合わせ片は、その一側端が前記胴体部の一側面の一方の縁部にヒンジ動作可能に取り付けられ、また、合わせ片の他側端には、固定フック片が設けられる一方、前記胴体部の一側面の他方の縁部には、前記合わせ片の固定フック片に対応する部位に、前記固定フック片を受け入れて係合するスリット構造のフック受け部が設けられ、さらに、前記固定フック片にはストッパー部が設けられてフック受け部と緊密に係合するようにした。【選択図】図１
2011011800.tif 000002
【特許請求の範囲】
【請求項１】
箱型構造の胴体部と、胴体部の両端部に開閉可能に設けられた蓋部材とを有する包装箱において、
胴体部の一側面には、当該一側面に外側から重なるように合わせ片が設けられ、この合わせ片は、その一側端が前記胴体部の一側面の一方の縁部にヒンジ動作可能に取り付けられ、また、
合わせ片の他側端には、固定フック片が設けられる一方、前記胴体部の一側面の他方の縁部には、前記合わせ片の固定フック片に対応する部位に、前記固定フック片を受け入れて係合するスリット構造のフック受け部が設けられ、さらに、
前記固定フック片にはストッパー部が設けられてフック受け部と緊密に係合することを特徴とする包装箱。
【請求項２】
固定フック片は、合わせ片の他側端において、当該他側端の辺に対して略直角方向へ延びた突出辺と、この突出辺の先端から当該突出辺に対して横及び先の斜め方向へ延びる傾斜辺と、傾斜辺の先端から前記合わせ片の他側端の辺にかけて湾曲状に延びるストッパー辺とを有する異形構造に形成されていることを特徴とする請求項１記載の包装箱。
【請求項３】
ストッパー辺の湾曲形状は、傾斜辺の先端から合わせ片の他側端の辺に到達するまでの間の途中に、湾曲の最大横方向位置を有していることを特徴とする請求項２記載の包装箱。
【発明の詳細な説明】
【技術分野】
【０００１】
本発明は包装箱に関し、特に箱の胴体に合わせ片が追加取り付けされた包装箱の当該合わせ片の開閉に際して、密着固定を確実に行い、且つ開放動作時の抵抗を少なくして損傷を回避し得る包装箱に関するものである。
【背景技術】
【０００２】
従来、薬品や食品を収納する包装箱の中には、収納物品を安全に防護するという基本的な機能に加え、収納物品の内容や扱い方を説明するために箱の胴体の外側に板状の合わせ片を取り付け、胴体の外面と合わせ片の面を使って、各種説明や図を表示したものがある。
【０００３】
このような合わせ片を有する収納箱の従来例を図３に示す。図３において、符号１は収納箱を示す。この収納箱１は箱本体２と、箱本体２の一側面である正面の一側辺（図３では左辺）に取り付けられた合わせ片３とを有している。この収納箱１においては、箱本体２は、胴体部２ａと、胴体部２ａの上下両端部に開閉可能に設けられた蓋部材２ｂとから成る。このような従来例において、合わせ片３を箱本体２に密着固定させておくために、合わせ片３の開放端部にフック片４を設ける一方、箱本体側の前記フック片４に対応する部位にフック片４に係合するスリット溝５を設け、スリット溝５にフック片４を差し込んで固定するようになっている。従来例では、フック片４は合わせ片３の開放端部から突出した四角形状もしくは台形状の舌片から成っている。
【発明の概要】
【発明が解決しようとする課題】
【０００４】
しかしながら、上記のような四角形状もしくは台形状の舌片から成るフック片４を合わせ片３の固定に使う場合、フック片４を単にスリット溝５に差し込んで固定するだけなので、外部から力を加えなくても合わせ片３を何回も開いたり、閉じたりする間にフック片４がスリット溝５から抜け易くなり、合わせ片３を固定させておくことができなくなる虞があった。
【０００５】
本発明は、上記した問題に鑑みなされたもので、その目的は、合わせ片の開閉に際して、密着固定を確実に行い、且つ開放動作時の抵抗を少なくして損傷を回避し得る包装箱を提供することである。
【課題を解決するための手段】
【０００６】
本発明は、上記目的を達成するために、ボックス構造の胴体部と、胴体部の上下両端部に開閉可能に設けられた蓋部材とを有する包装箱において、胴体部の一側面には、当該一側面に外側から重なるように合わせ片が設けられ、この合わせ片は、その一側端が前記胴体部の一側面の一方の縁部にヒンジ動作可能に取り付けられ、また、合わせ片の他側端には、固定フック片が設けられる一方、前記胴体部の一側面の他方の縁部には、前記合わせ片の固定フック片に対応する部位に、前記固定フック片を受け入れて係合するスリット構造のフック受け部が設けられ、さらに、前記固定フック片にはストッパー部が設けられてフック受け部と緊密に係合するようにしたことを要旨とする。
【０００７】
固定フック片は、合わせ片の他側端において、当該他側端の辺に対して略直角方向へ延びた突出辺と、この突出辺の先端から当該突出辺に対して横及び先の斜め方向へ延びる傾斜辺と、傾斜辺の先端から前記合わせ片の他側端の辺にかけて湾曲状に延びるストッパー辺とを有する異形構造に形成されていることを特徴とする。また、  ストッパー辺の湾曲形状は、傾斜辺の先端から合わせ片の前記他側端の辺に到達するまでの間の途中に、湾曲の最大横方向位置を有していることが好ましい。
【０００８】
このような構成により、合わせ片を胴体部の側面に重なり合わせてフック片をフック受け部に差し込むと、フック片がフック受け部に進入して両部材が係合し、合わせ片を胴体部の側面に重なり合った状態に固定する。この状態で、外部からフック片をフック受け部から外そうとする力が働いても、フック片にはストッパー部が設けられているため、通常の包装箱に用いられている四角形状または台形状の舌片とは異なり、フック片はフック受け部から容易には外れない。そのため、合わせ片は胴体部の側面に重なり合ったままの状態に維持される。すなわち、前記ストッパー部は、合わせ片の他側端、すなわち開放側の端部において、この開放側端部辺に対して略直角方向へ延びた突出辺と、この突出辺の先端から当該突出辺に対して横及び先の斜め方向へ延びる傾斜辺と、傾斜辺の先端から前記合わせ片の他側端の辺にかけて湾曲状に延びるストッパー辺とを有する異形構造に形成されているため、上記傾斜辺の先端部分（つまり、固定フック片の最も突き出た部分）及びストッパー辺の部分が上記ストッパー部としての機能を果たす。他方において、ストッパー部の上記構造において、突出辺部分は上記傾斜辺の突端部分に比べると合わせ片の開放側端部辺から突出する寸法が短いから、当該突出辺の部分においてフック片をフック受け部から外そうとする力が働いた場合はフック片はフック受け部から簡単に外れる。
【発明の効果】
【０００９】
以上のように、本発明によれば、包装箱に取り付けられた合わせ片の固定フック片にストッパー部が設けられ、且つ前記ストッパー部は、合わせ片の開放側の端部において、この開放側端部辺から突き出た突出辺と、この突出辺の先端からさらに延びる傾斜辺と、傾斜辺の先端から前記合わせ片の開放側端部辺にかけて湾曲状に延びるストッパー辺とを有する異形構造に形成されている構成とした。そのため、上記傾斜辺の突端部分及びストッパー辺の部分が上記ストッパー部としての機能を果たす。また、上記傾斜辺の突端部分に比べると合わせ片の開放側端部辺から突出する寸法が短い突出辺の部分においてフック片をフック受け部から外そうとする力が働いた場合はフック片はフック受け部から簡単に外れる。そのため、合わせ片は胴体部の側面に対して見開きの状態となり、包装箱に収納される品物の内容説明、使用方法などの説明を出来るだけ大量に表示することが可能となる。
【図面の簡単な説明】
【００１０】
【図１】本発明の一実施の形態に係る包装箱の展開図である。
【図２】前記実施の形態に係る包装箱において合わせ片の取り付け状態及び開放している状態を示す斜視図である。
【図３】従来の包装箱において合わせ片の取り付け状態及び開放している状態を示す斜視図である。
【発明を実施するための形態】
【００１１】
以下、本発明の実施の形態について図面を参照して詳細に説明する。図１は本発明の一実施の形態に係る包装箱の展開図である。
【００１２】
図１において、符号１１は展開図上における包装箱の全体を示す。この包装箱１１はボール紙、クラフト紙、或いは段ボールのような比較的厚さがあり直立性がある材質から作られている。また、材質は紙材に限らず合成樹脂や金属であってもよい。１２は包装箱１１の上側蓋板である。１３は包装箱１１の下側蓋板である。１４，１５，１６，１７は包装箱１１の側面を示す。さらに１８は合わせ片を示す。これらの側面のうち１４は第１の側面、１５は第２の側面、１６は第３の側面、１７は第４の側面である。合わせ片１８は第４の側面１７に連続して設けられている。この展開図から明らかなように、第１の側面１４と第３の側面１６とは対向し、第２の側面１５と第４の側面１７とは対向している。また、第１の側面１４は両側端で第２の側面１５及び第４の側面１７とそれぞれ隣接し、第３の側面１６は両側端で第２の側面１５及び第４の側面１７とそれぞれ隣接している。そして、第１〜第４の側面１４〜１７により包装箱１１の胴体部１１ａが形成され、さらに上側蓋板１２と下側蓋板１３を含めて箱本体が構成される。
【００１３】
それぞれの側面を画成して立体構造の包装箱１を作り上げるために、第１の側面５と第２の側面１５との境界には折り曲げ線１９が形成されている。同様に、第２の側面６と第３の側面１６との境界には折り曲げ線２０が形成され、第３の側面１６と第４の側面１７との境界には折り曲げ線２１が形成されている。また、第１の側面１４の側縁部と第４の側面１７の側縁部を結合させるために、第１の側面１４の側縁部にはのりしろ２２が折り曲げ線２３を介して設けられている。さらに第３の側面１６の上縁には上側蓋板１２が折り曲げ線２４を介して設けられている。また第３の側面１６の下縁には下側蓋板１３が折り曲げ線２５を介して設けられている。また、第４の側面１７と合わせ片１８の境界には折り曲げ線２６が形成されている。さらに第２の側面１５と第４の側面１７との上縁にはそれぞれ上側タブ２７，２８が、各折り曲げ線２９，３０を介して設けられ、第２の側面１５と第４の側面１７との下縁にはそれぞれ下側タブ３１，３２が、各折り曲げ線３３，３４を介して設けられている。
【００１４】
合わせ片１８の構造について、当該合わせ片１８は、胴体部１１ａの一側面に相当する第１の側面１４に、当該第１の側面１４に外側から重なるように取り付けられ、この合わせ片１８は、その一側端である第４の側面１７の側縁部にヒンジ動作可能に取り付けられる。このヒンジ動作を可能にするために、第４の側面１７と合わせ片１８の境界に形成された折り曲げ線２６には複数のミシン目３５が形成されている。また、合わせ片１８の他側端には、固定フック片３６が設けられている。一方、胴体部１１ａの第１の側面の他方の縁部すなわち、折り曲げ線１９上には、前記合わせ片１８の固定フック片３６に対応する部位に、当該固定フック片３６を受け入れて係合するスリット溝構造のフック受け部３７が設けられている。さらに、前記固定フック片３６にはストッパー部が設けられてフック片３６とフック受け部３７を緊密に係合させるようにしている。
【００１５】
固定フック片３６の構造について説明すると、この固定フック片３６は、合わせ片１８の、折り曲げ線２６とは反対側の側端において、当該側端の辺（すなわち、開放側端部辺）３８に対して略直角方向外方へ延びた突出辺３９と、この突出辺３９の先端から当該突出辺３９に対して横方及び先方の斜め方向へ延びる傾斜辺４０と、傾斜辺４０の先端から前記合わせ片１８の開放側端部辺３８にかけて湾曲状に延びるストッパー辺４２とを有する異形の舌片構造に形成されている。なお、傾斜辺４０の先端はストッパー辺４２の先端と一致する。傾斜辺４０は直線であってもよいし、多少曲線を描いていてもよい。ストッパー辺４２の湾曲形状は滑らかな曲線であってもよいし、不連続な多角形状であってもよい。このストッパー機能を有する固定フック片３６については、突出辺３９の突出位置よりも傾斜辺４０及びストッパー辺４２の先端（つまり、固定フック片３６の最も突き出た部分である突端４１）の方がより先方にあることが重要である。また、ストッパー辺４２の湾曲形状は、固定フック片３６の突端４１から合わせ片１８の開放側端部辺３８に到達するまでの間の途中に、湾曲の最大横方向位置４２ａを有していることが好ましい。このように形成することにより、フック片３６とフック受け部３７の係合がより緊密になる。
【００１６】
以上のように各側面１４，１５，１６，１７及びあわせ片１８が形成された形で、包装箱１１を組み立てるとボックス構造の包装箱１１が出来上がる。図２は、本実施の形態に係る包装箱１１において合わせ片の取り付け状態及び開放している状態を示す斜視図である。この包装箱１１において、合わせ片１８はミシン目３５が形成された折り曲げ線２６を中心にして回動すなわち、ヒンジ運動可能である。そして、合わせ片１８を開くことにより、第３の側面１６と合わせ片１８の内側面とが見開きの状態になり、合わせ片１８の外側面を含めれば、第３の側面１６の面積が３倍に増えたことになる。これにより、包装箱１１に収納される品物の内容説明、使用方法などの説明を出来るだけ大量に表示、或いは解説することが可能となる。
【００１７】
次に、合わせ片１８を閉じるときは、固定フック片３６を胴体部１１ａ側のフック受け部３７に差し込む。これにより合わせ片１８は第３の側面１６の外面に密着固定される。固定フック片３６は上述のように異形構造に形成されているからこの状態で、合わせ片１８に、外部から合わせ片１８を第３の側面１６から剥がそうとする力が加わり、固定フック片３６をフック受け部３７から外そうとする力が働いても、固定フック片３６の突端４１及びストッパー辺４２がフック受け入れ部の端部に引っ掛かり、固定フック片３６はフック受け部３７から容易には外れない。この点が通常の包装箱に用いられている四角形状または台形状の舌片とは異なる。そのため、合わせ片１８は胴体部１１ａの第３の側面１６に重なり合ったままの状態に維持され、浮き上がりが防止される。このように、上記傾斜辺４０の先端及びストッパー辺４２の部分がストッパー部としての機能を果たす。さらに、ストッパー辺４２の湾曲形状は、固定フック片３６の突端４１から合わせ片１８の開放側端部辺３８に到達するまでの間の途中に、湾曲の最大横方向位置４２ａを有していれば、上記最大横方向位置４２ａストッパー辺４２の根元位置よりも外方へ張り出していることになり、固定フック片３６とフック受け部３７の係合がより緊密になる。
【００１８】
また、合わせ片１８の下部の部位において、外部から合わせ片１８を第３の側面１６から剥がそうとする力が加わり、固定フック片３６をフック受け部３７から外そうとする力が働いた場合、突出辺３９の部分においては、上記傾斜辺４０の突端４１に比べると合わせ片１８の開放側端部辺３８から突出する寸法が短く、且つ突出辺３９が開放側端部辺３８から直線的に延びているため、固定フック片３６はフック受け部３７から簡単に外れる。
【００１９】
なお、図１及び図２に示す実施の形態では、固定フック片３６について、当該固定フック片３６の下側位置に突出辺３９を設け、上側位置にストッパー辺４２を設けているが、これらの上下位置関係は逆であってもよい。
【産業上の利用可能性】
【００２０】
本発明では、包装箱に取り付けられた合わせ片の固定フック片にストッパー部が設けられ、且つ前記ストッパー部は、合わせ片の開放側の端部において、この開放側端部辺から突き出た突出辺と、この突出辺の先端からさらに延びる傾斜辺と、傾斜辺の先端から前記合わせ片の開放側端部辺にかけて湾曲状に延びるストッパー辺とを有する異形構造に形成されている構成とした。そのため、上記傾斜辺の突端部分及びストッパー辺の部分が上記ストッパー部としての機能を果たす。また、上記傾斜辺の突端部分に比べると合わせ片の開放側端部辺から突出する寸法が短い突出辺の部分においてフック片をフック受け部から外そうとする力が働いた場合はフック片はフック受け部から簡単に外れる。このため、合わせ片の開閉に際して、密着固定を確実に行い、且つ開放動作時の抵抗を少なくして損傷を回避することができる。
【符号の説明】
【００２１】
１１  包装箱
１１ａ  胴体部
１２  上側蓋板
１３  下側蓋板
１４  第１の側面
１５  第２の側面
１６  第３の側面
１７  第４の側面
１９，２０，２１，２６  折り曲げ線
３６  固定フック片
３７  フック受け入れ部
３９  突出辺
４０  傾斜辺
４１  突端
４２  ストッパー辺
【図１】
2011011800.tif 000003
【図２】
2011011800.tif 000004
【図３】
2011011800.tif 000005